(57)【要約】【課題】集塵蓋と連動して動くブレーキ釦が吸引圧で押し込まれ、意図しないブレーキ解除を防ぎ、使い勝手のよい電気掃除機を提供する。【解決手段】ブレーキ釦６は弾性体により上方に付勢され、ブレーキ釦６が押し込まれた際は、所定の遊び寸法Ｈをおいてブレーキが解除するよう設定され、集塵蓋４には、集塵蓋４が閉状態時に集塵蓋４の外観面とブレーキ釦６の外観面との段差が、所定の押し込み寸法となるよう、ブレーキ釦６を押し込んで保持する係止部７が設けられ、かつ集塵蓋４には、上部ボデー５に当接することで、電動送風機の吸引圧によって集塵蓋４の沈み込み寸法を規定する当接部１４が設けられ、前記押し込み寸法と、前記沈み込み寸法との合計が前記遊び寸法Ｈの範囲内としたことで、吸引圧による意図しないブレーキ解除を防ぎ、使い勝手のよい電気掃除機を提供できる。【選択図】図１
2014200472.tif 000002
【特許請求の範囲】
【請求項１】
塵埃を集塵する集塵室と、電動送風機と、コードリールと、コードリールの回転を止めるブレーキ手段とを有する主体ケースと、
前記ブレーキ手段によるコードリールのブレーキを解除させる上下動自在なブレーキ釦が配置され、電動送風機とコードリールを覆い、前記主体ケースの上面を形成する上部ボデーと、
前記上部ボデーに回動自在に設けられ、集塵室を開閉し、ブレーキ釦が操作可能となる穴が形成された集塵蓋と、
前記集塵蓋と集塵室のタイトリブ間を密閉するパッキンと、
前記集塵蓋の閉状態を保持する保持手段とを備え、
前記ブレーキ釦は弾性体により上方に付勢され、ブレーキ釦が押し込まれた際は、所定の遊び寸法をおいてブレーキが解除するよう設定され、
前記集塵蓋には、集塵蓋が閉状態時に集塵蓋の外観面とブレーキ釦の外観面との段差が、所定の押し込み寸法となるよう、ブレーキ釦を押し込んで保持する係止部が設けられ、
かつ前記集塵蓋には、上部ボデーに当接することで、電動送風機の吸引圧によって集塵蓋の沈み込み寸法を規定する当接部が設けられ、
前記押し込み寸法と、前記沈み込み寸法との合計が前記遊び寸法の範囲内であることを特徴とする電気掃除機。
【請求項２】
前記ブレーキ釦の上部が、使用者が操作する外観面と、前記集塵蓋の係止部に係止される段差面を有することを特徴とする請求項１に記載の電気掃除機。
【請求項３】
前記係止部が複数の係止部からなることを特徴とする請求項１または２に記載の電気掃除機。
【請求項４】
集塵蓋に電動送風機の吸引圧が加わらない閉状態時における、集塵蓋の外観面とブレーキ釦の外観面との段差において、ブレーキ釦の外観面が、集塵蓋の外観面と同一面から上下に１ｍｍ以内の段差であることを特徴とする請求項１〜３のいずれか１項に記載の電気掃除機。
【発明の詳細な説明】
【技術分野】
【０００１】
本発明は、電気掃除機の掃除機本体に関するものである。
【背景技術】
【０００２】
従来の電気掃除機では、集塵室と電動送風機とコードリールとを有する主体ケースの上部に具備した上部ボデーに、上部ボデーを覆う回動自在な蓋体およびコードリールのブレーキを解除するブレーキ釦とが配置されている（例えば特許文献１参照）。
【０００３】
図６は、特許文献１に記載された従来の掃除機本体１０１を示すものである。図６に示すように、掃除機本体１０１は、塵埃を集塵する集塵室（図示せず）と、吸引風を発生させる電動送風機（図示せず）と、電動送風機（図示せず）に電流を供給するコード（図示せず）と、回転することでコード（図示せず）を巻き取ることができるコードリール（図示せず）と、コードリール（図示せず）の回転を止めるブレーキ手段とを有する掃除機本体１０１は、集塵室（図示せず）と電動送風機（図示せず）とコード（図示せず）とコードリール（図示せず）を有する主体ボデー１０２の上部に具備した上部ボデー１０３に、コードリール（図示せず）のブレーキを解除するブレーキ釦１０４および主体ボデー１０２の上面を覆い、閉状態においてもブレーキ釦１０４が操作可能となるよう穴が設けられた回動自在な格納蓋１０５が配置されている。
【０００４】
また、ブレーキ釦１０４はコイルバネ（図示せず）により上方に付勢され、その下動時には、所定の遊びをおいてブレーキ手段と連係し、ブレーキを解除するよう設定されている。そして、格納蓋１０５には、格納蓋１０５が閉状態の際、上記遊びの範囲内でブレーキ釦１０４を下動状態に保持する係止部１０６を設けることで、ブレーキ釦１０４の外観への飛び出しや引っ込みを管理することができるよう構成されている。
【先行技術文献】
【特許文献】
【０００５】
【特許文献１】特開昭６１−２４７４２７号公報
【発明の概要】
【発明が解決しようとする課題】
【０００６】
確かに、前記従来の電気掃除機であれば、記載された構成で外観品位を向上した実使用上問題のない掃除機が提供できる。しかしながら、同様の構成を、格納蓋ではなく、集塵室を覆う集塵蓋に用いる際には、集塵蓋は、電動送風機の吸引力により吸引され、集塵蓋のエアータイトに用いられているパッキンに沈み込むので、吸引力によって沈み込む集塵蓋と連動してブレーキ釦も下方へ動いてしまう。
【０００７】
このような動作によって、ブレーキ釦とブレーキ手段が連動してしまい、電動送風機の吸引力が集塵蓋に作用するとブレーキが解除されるという課題を有していた。
【０００８】
そのため、意図しないブレーキ解除を防止するためにも、集塵蓋とブレーキ釦が連動し、ブレーキが解除されない構成とするのが望ましい。
【０００９】
そこで、本発明は前記従来の課題を解決するもので、電動送風機の吸引力が集塵蓋に作用することによって意図しないブレーキ解除を防止することができる電気掃除機を提供することを目的としている。
【課題を解決するための手段】
【００１０】
前記従来の課題を解決するために、本発明は、塵埃を集塵する集塵室と、電動送風機と、コードリールと、コードリールの回転を止めるブレーキ手段とを有する主体ケースと、前記ブレーキ手段によるコードリールのブレーキを解除させる上下動自在なブレーキ釦が配置され、電動送風機とコードリールを覆い、前記主体ケースの上面を形成する上部ボデーと、前記上部ボデーに回動自在に設けられ、集塵室を開閉し、ブレーキ釦が操作可能となる穴が形成された集塵蓋と、前記集塵蓋と集塵室のタイトリブ間を密閉するパッキンと、前記集塵蓋の閉状態を保持する保持手段とを備え、前記ブレーキ釦は弾性体により上方に付勢され、ブレーキ釦が押し込まれた際は、所定の遊び寸法をおいてブレーキが解除するよう設定され、前記集塵蓋には、集塵蓋が閉状態時に集塵蓋の外観面とブレーキ釦の外観面との段差が、所定の押し込み寸法となるよう、ブレーキ釦を押し込んで保持する係止部が設けられ、かつ前記集塵蓋には、上部ボデーに当接することで、電動送風機の吸引圧によって集塵蓋の沈み込み寸法を規定する当接部が設けられ、前記押し込み寸法と、前記沈み込み寸法との合計が前記遊び寸法の範囲内としたものである。
【００１１】
これにより、使用者が被清掃面を清掃中に吸込口を詰まらせるなどして、集塵蓋に吸引圧が加わり下方へ移動した際に、ブレーキ釦がブレーキ解除位置まで下がらず、ブレーキ釦の下方への移動が規制されるので、意図しないブレーキ解除が生じることを防止することができ、電気掃除機の使い勝手を向上させることができるようになる。
【発明の効果】
【００１２】
集塵蓋と連動して動くブレーキ釦が、吸引圧によって押し込まれることによる意図しないブレーキ解除を防ぐことができ、使い勝手のよい電気掃除機を提供する。
【図面の簡単な説明】
【００１３】
【図１】本発明の実施の形態における掃除機本体の集塵蓋が開状態を示す外観斜視図
【図２】同、掃除機本体の集塵蓋が閉状態を示す外観斜視図
【図３】同、掃除機本体のブレーキ釦の初期位置における断面図
【図４】同、掃除機本体のブレーキ釦の定常位置における断面図
【図５】同、掃除機本体のブレーキ釦の規制位置における断面図
【図６】従来の掃除機本体の全体を示す外観斜視図
【発明を実施するための形態】
【００１４】
第１の発明は、塵埃を集塵する集塵室と、電動送風機と、コードリールと、コードリールの回転を止めるブレーキ手段とを有する主体ケースと、前記ブレーキ手段によるコードリールのブレーキを解除させる上下動自在なブレーキ釦が配置され、電動送風機とコードリールを覆い、前記主体ケースの上面を形成する上部ボデーと、前記上部ボデーに回動自在に設けられ、集塵室を開閉し、ブレーキ釦が操作可能となる穴が形成された集塵蓋と、前記集塵蓋と集塵室のタイトリブ間を密閉するパッキンと、前記集塵蓋の閉状態を保持する保持手段とを備え、前記ブレーキ釦は弾性体により上方に付勢され、ブレーキ釦が押し込まれた際は、所定の遊び寸法をおいてブレーキが解除するよう設定され、前記集塵蓋には、集塵蓋が閉状態時に集塵蓋の外観面とブレーキ釦の外観面との段差が、所定の押し込み寸法となるよう、ブレーキ釦を押し込んで保持する係止部が設けられ、かつ前記集塵蓋には、上部ボデーに当接することで、電動送風機の吸引圧によって集塵蓋の沈み込み寸法を規定する当接部が設けられ、前記押し込み寸法と、前記沈み込み寸法との合計が前記遊び寸法の範囲内であることを特徴とする電気掃除機としたものである。
【００１５】
これにより、使用者が被清掃面を清掃中に吸込口を詰まらせるなどして、集塵蓋に吸引圧が加わり下方へ移動した際に、ブレーキ釦がブレーキ解除位置まで下がらず、ブレーキ釦の下方への移動が規制されるので、意図しないブレーキ解除が生じることを防止するこ
とができ、電気掃除機の使い勝手を向上させることができるようになる。
【００１６】
第２の発明は、特に、第１の発明において、前記ブレーキ釦の上部が、使用者が操作する外観面と、前記集塵蓋の係止部に係止される段差面を有することを特徴とする電気掃除機としたものである。
【００１７】
これにより、集塵蓋が閉状態において、ブレーキ釦の外観面を集塵蓋の内面よりも高い位置に位置させることができ、集塵蓋の外観面に対して、ブレーキ釦の外観面を同一面としたり、飛び出させたりすることが可能となり、使用者がブレーキ釦を操作しやすくなり、電気掃除機の使い勝手を向上させることができる。
【００１８】
第３の発明は、特に、第１または第２の発明において、前記係止部が複数の係止部からなることを特徴とする電気掃除機としたものである。
【００１９】
これにより、より確実に集塵蓋とブレーキ釦を意図した位置関係とすることができ、複雑な外観面においても十分に意図しないブレーキ解除を防止することができ、電気掃除機の使い勝手を向上させることができる。
【００２０】
第４の発明は、特に、第１〜第３の発明において、集塵蓋に電動送風機の吸引圧が加わらない閉状態時における、集塵蓋の外観面とブレーキ釦の外観面との段差において、ブレーキ釦の外観面が、集塵蓋の外観面と同一面から上下に１ｍｍ以内の段差であることを特徴とするとする電気掃除機としたものである。
【００２１】
これにより、集塵蓋の外観面とブレーキ釦の外観面との著しい段差がなくなり、集塵蓋の穴の内壁やブレーキ釦の側面が外観に目立たなくなることにより、側面への塗装の必要がなくなり、印刷のみで対応可能になるなど、コストおよび生産性を向上させることができる。
【００２２】
以下、図面を参照しながら本発明の電気掃除機の好適な実施の形態について詳細に説明する。なお、以下の説明では、同一または相当部分には同一符号付し、重複する説明は省略する。
【００２３】
（実施の形態１）
本発明の電気掃除機の実施の形態について、図１〜図５を用いて説明する。
【００２４】
図１は、本発明の実施の形態における掃除機本体１において集塵蓋４が開状態の際の全体を示す外観斜視図である。図１に示すように、掃除機本体１は、主として、掃除機本体１の側面と下面を形成し、塵埃を集塵する集塵室２と、吸引風を発生させる電動送風機（図示せず）と、電動送風機（図示せず）に電流を供給するコード（図示せず）と、回転することでコード（図示せず）を掃除機本体に出し入れ可能とするコードリール（図示せず）を有する主体ボデー３と、掃除機本体１の上面を覆う集塵蓋４と、から構成されており、集塵蓋４は主体ボデー３の上部に具備された上部ボデー５に開閉自在に取り付けられている。
【００２５】
さらに、上部ボデー５の上面にはコードリール（図示せず）のブレーキを解除させることができるブレーキ釦６が上下に摺動するように配置されており、ブレーキ釦６はコイルバネ（図示せず）により上方に付勢されている。
【００２６】
また、集塵蓋４には、集塵蓋４が閉状態となる際にブレーキ釦６と当接する係止部７が配置され、主体ボデー３の集塵室２の上方には、集塵蓋４が閉状態となる際に、集塵蓋４
と集塵室２の外壁によって挟まれることで集塵室をタイトするためのパッキン８が配置されている。
【００２７】
図２は、本発明の実施の形態における掃除機本体１において集塵蓋４が閉状態の際の全体を示す外観斜視図である。図２に示すように、集塵蓋４は保持手段９によって、閉状態に保持されている。
【００２８】
図３は、本発明の実施の形態におけるブレーキ釦６の初期位置における掃除機本体１の断面図である。図３に示すように、ブレーキ釦６は、集塵蓋４が開状態の際には、コイルバネ（図示せず）で付勢され、上部ボデー５により定められた初期位置１０にあり、初期位置１０からストロークＳの分だけ上下に摺動自在である。また、初期位置１０からブレーキ釦６が押し込まれることで、ブレーキを解除させるブレーキ解除位置１１までの区間が、ブレーキ釦６の操作時における遊び寸法Ｈとなる。
【００２９】
また、図４に示すように、ブレーキ釦６は、集塵蓋４が閉状態の際、集塵蓋４の係止部７により、前記遊び寸法Ｈの範囲内で押さえ込まれ、定められた定常位置１２に設定される。
【００３０】
また、図５に示すように、集塵蓋４が閉状態からさらに電動送風機の吸引圧が加わり沈み込んだ状態における規制位置１３においては、集塵蓋４の当接部１４が上部ボデー５に接して規制された状態となっている。
【００３１】
以上のように構成された掃除機本体１について、以下、その動作及び、作用を説明する。
【００３２】
図１に示す掃除機本体１にて、集塵蓋４は開状態にあり、この際のブレーキ釦の位置は図３に示すように、上方に付勢されたブレーキ釦６は、上部ボデー５により規定された初期位置１０にある。そして、使用者が清掃を行うためには、集塵蓋４は閉状態でなくてはならず、使用者は集塵蓋４の保持手段９が上部ボデー５にかかり、集塵蓋４が閉状態となる位置まで集塵蓋４を回動させる。この際、集塵蓋４が閉状態となる前に、集塵蓋４の係止部７と、ブレーキ釦６の段差面１５が当接し、そこから集塵蓋４の回動に連動し、ブレーキ釦６は下方に移動して、集塵蓋４が閉状態となった際には、図４に示すように、定常位置１２に位置することとなる。
【００３３】
これにより、集塵蓋４が閉状態になった際の外観において、集塵蓋４の成形による反りや、環境条件による反りが例え生じていても、集塵蓋４とブレーキ釦６の外観面は略同一面となるよう設定することが可能となり、外観の品位を向上することができる。
【００３４】
さらに、図２に示すような集塵蓋４が閉状態から使用者が実際に清掃を開始した際には、電動送風機（図示せず）により集塵室２の空気が排出され、真空状態に近くなるため、集塵室２の外郭を構成している主体ボデー３と、集塵蓋４には、集塵室２を縮める方向に引圧力がかかる。
【００３５】
そのため、集塵蓋４と主体ボデー３との間を、自身が潰れることで密閉タイトしているパッキン８は、さらに圧縮されることとなり、集塵蓋４は下方に回動する。この時、図５に示すように集塵蓋４が最も下方に移動した位置を集塵蓋４に設けた当接部１４が上部ボデー５に接することによって確実に規制することができ、集塵蓋４と連動して下方に移動するブレーキ釦６の移動距離を規制位置１３までとする構成にすることができる。
【００３６】
そして本発明では、この規制位置１３は、前記遊び寸法Ｈの範囲内のブレーキ解除位置
１１よりも上方となるよう設定されている。
これにより、電動送風機の吸引圧が集塵蓋４に加わる実使用時においても、使用者がブレーキ釦６を操作しない限り、ブレーキが解除されることはなくなり、電気掃除機の使い勝手を向上することができる。
【００３７】
以上、本発明の実施の形態について説明したが、本発明の電気掃除機１００は上述した実施の形態に限定されるものではない。
【００３８】
例えば、上述した実施の形態においては、ブレーキ釦６において、係止部７と当接する部材を段差面１５で構成しているが、リブ体が形成されていてもよい。この構成においても、集塵蓋４とブレーキ釦６を連動させることが可能であり、上記実施の形態同様、そこから下動した際の規制位置を設ければ、意図しないブレーキ解除を防止することができ、電気掃除機１００の使い勝手を向上させることができる。
【産業上の利用可能性】
【００３９】
本発明の電気掃除機は、集塵蓋と連動して動くブレーキ釦が、押し込まれてブレーキを解除するまでの間に十分な遊びを設けることで、意図しないブレーキ解除を防ぐことができ、使い勝手を向上させることができるようになるため、家庭用電気掃除機及び産業用電気掃除機の分野・用途に好適に適用することができる。
【符号の説明】
【００４０】
１  掃除機本体
２  集塵室
３  主体ボデー
４  集塵蓋
５  上部ボデー
６  ブレーキ釦
７  係止部
８  パッキン
９  保持手段
１０  初期位置
１１  ブレーキ解除位置
１２  定常位置
１３  規制位置
１４  当接部
１５  段差面
【図１】
2014200472.tif 000003
【図２】
2014200472.tif 000004
【図３】
2014200472.tif 000005
【図４】
2014200472.tif 000006
【図５】
2014200472.tif 000007
【図６】
2014200472.tif 000008